(57)【特許請求の範囲】
【請求項１】
建物躯体の開口部に枠体を固定する枠体固定構造であって、
前記建物躯体の開口部の下部に設けられた第１の固定部材と、前記建物躯体の開口部の左右部及び上部に設けられた第２の固定部材とを有し、
前記第１の固定部材は、一方の辺にリップ部が設けられたリップタイプの２つ以上の溝形部材からなり、前記溝形部材のリップ部の上面に枠体が搭載され、前記溝形部材の溝底部が前記建物躯体の開口部の下部に固定され、前記溝形部材の他方の辺が枠体に固定され、２つ以上の前記溝形部材がこれらの間で隙間を有するように配置され、
前記第２の固定部材は、一方の辺が建物躯体の開口部の左右部及び上部に固定され、他方の辺が枠体に固定されたアングル部材を有し、
前記溝形部材の溝部、前記溝形部材間の隙間及び前記枠体と前記アングル部材と前記建物躯体の開口部の側部との間の空間部に挿入されたロックウール材又はグラスウール材を有する
枠体固定構造。
【請求項２】
請求項1に記載の枠体固定構造であって、
前記溝形部材とこれと隣接する前記建物躯体の開口部の左右部との間には、隙間が設けられている
枠体固定構造。
【請求項３】
請求項1又は２に記載の枠体固定構造であって、
前記溝形部材は、前記リップ部を室外側に有する
枠体固定構造。
【請求項４】
建物躯体の開口部に枠体を固定する枠体固定方法であって、
前記建物躯体の開口部の下部に、一方の辺にリップ部が設けられたリップタイプの２つ以上の溝形部材を、これら前記溝形部材の間で隙間を有するように固定する工程と、
前記建物躯体の開口部の左右部及び上部に、アングル部材を固定する工程と、
前記溝形部材の溝部及び前記溝形部材間の隙間にロックウール材又はグラスウール材を挿入する工程と、
前記溝形部材のリップ部の上面に枠体を搭載しつつ、前記建物躯体の開口部に前記枠体を配置する工程と、
前記溝形部材及び前記アングル部材の他方の辺に枠体を固定する工程と、
前記枠体と前記アングル部材と前記建物躯体の開口部の側部との間の空間部にロックウール材又はグラスウール材を挿入する工程と
を具備する枠体固定方法。
【請求項５】
請求項４に記載の枠体固定方法であって、
前記溝形部材のリップ部の上面に枠体を搭載しつつ、前記建物躯体の開口部に前記枠体を配置した後に、前記枠体の前記建物躯体の開口部に対する位置を測定して調整する工程
を更に具備する枠体固定方法。
【請求項６】
請求項１〜３のいずれかに記載の枠体固定構造に用いられる部材であって、
一方の辺に前記枠体が搭載されるリップ部が設けられ、他方の辺が前記枠体に固定されるリップタイプの溝形部材。
【発明の詳細な説明】
【技術分野】
【０００１】
本発明は、枠体固定構造、枠体固定方法及びこれらに用いられる溝形部材に関するものである。
【背景技術】
【０００２】
一般に、ＲＣ（鉄筋コンクリート）造の建物躯体に窓枠等の枠体を固定は、建物躯体の鉄筋もしくは鋼棒と枠体との間を溶接する方法が用いられる。この方法は、建物躯体に埋設された鉄筋の一部を外部に露出させる一方、枠体にアンカー金具を取り付けた状態で建物躯体の開口部に枠体を建て込み、鉄筋とアンカー金具との間に掛け渡した差し筋（鋼棒）を介して両者を溶接するものである。
【０００３】
このような溶接による固定方法では、溶接作業を実施するための電源設備等の機材を準備しなければならないばかりでなく、溶接の際の熱や火花から建物の内外装を保護するための養生が必要となり、施工作業性の低下や作業コストの増大を招来するという問題がある。
【０００４】
これに対して、特許文献１や特許文献２には、建物躯体の開口部内周面に設けた固定部材と、枠体の外周面に固定した固定部材との間を硬化性樹脂等の連結材によって連結する技術が開示されている。これらの技術により現場での溶接作業が不要となる。
【０００５】
しかしながら、上記の溶接による固定方法や硬化性樹脂等の連結材による固定方法では、建物躯体に枠体を固定した後に、建物躯体と窓枠との間の隙間をモルタル等の充填材によって充填する必要がある。このような充填作業は、それを実施するための混練などの前準備が必要であり、しかも充填後に所定期間の養生が必要とされる。
【０００６】
これに対して、特許文献３及び特許文献４には、建物躯体と枠体との間を補助的な枠を介在させ、建物躯体及び枠体と補助的な枠とをそれぞれビス止めし、これらの間の隙間にシール部材を介在させる技術が開示されている。これらの技術により充填材による充填作業をなくすことができる。
【先行技術文献】
【特許文献】
【０００７】
【特許文献１】特開２００９−１５０１７４号公報
【特許文献２】特開２０１１−１７９２３５号公報
【特許文献３】特開平８−１２８２６８号公報
【特許文献４】特開２００１−２９５５５４号公報
【発明の概要】
【発明が解決しようとする課題】
【０００８】
しかしながら、特許文献３や特許文献４で採用されているシール部材は、例えば建物躯体と補助的な枠との間の隙間をなくしているだけなので、モルタルに相当する機能をカバーしていない。すなわち、モルタルは、建物躯体及び枠体との間の空間を埋め、これにより不燃材としての機能を発揮するものであるが、上記のシール部材はそのような機能を発揮するものではない。
【０００９】
また、窓枠等の枠体は、建物躯体に対して正確な位置関係を保って固定することが要求されるが、建物躯体がＲＣ（鉄筋コンクリート）造であることから、その開口部の寸法や形状を高精度に仕上げることはできず、建物躯体の開口部に枠体を配置した後に、枠体の建物躯体に対する位置を例えばレーザー測定器などによって測定しながら調整し、その後固定している。
【００１０】
しかしながら、上記の特許文献１〜４に記載された技術では、上記の調整・固定を行う際に、建物躯体に対して枠体を所定の位置に保持しつつ行われるが、枠体を保持するための人員や大がかりな治具が必要とされ、作業性が悪い、という問題がある。
【００１１】
本発明は、上記実情に鑑みて、溶接作業やモルタルの充填作業等は不要で、モルタルに匹敵する不燃材としての機能を得ることができ、しかも枠体の建物躯体に対する位置調整及び固定を作業性よく行うことができる枠体固定構造、枠体固定方法及びこれらに用いられる溝形部材を提供することを目的とする。
【課題を解決するための手段】
【００１２】
上記目的を達成するため、本発明に係る枠体固定構造は、建物躯体の開口部に枠体を固定する枠体固定構造であって、建物躯体の開口部の下部に設けられた第１の固定部材と、建物躯体の開口部の左右部及び上部に設けられた第２の固定部材とを有する。
【００１３】
第１の固定部材は、一方の辺にリップ部が設けられたリップタイプの２つ以上の溝形部材からなり、溝形部材のリップ部の上面に枠体が搭載され、溝形部材の溝底部が建物躯体の開口部の下部に固定され、溝形部材の他方の辺が枠体に固定され、２つ以上の溝形部材がこれらの間で隙間を有するように配置され、第２の固定部材は、一方の辺が建物躯体の開口部の左右部及び上部に固定され、他方の辺が枠体に固定されたアングル部材を有し、溝形部材の溝部、溝形部材間の隙間及び枠体とアングル部材と建物躯体の開口部の側面との間の空間部にロックウール材又はグラスウール材を挿入したものである。
本発明に係る枠体固定構造では、溝形部材とこれと隣接する建物躯体の開口部の左右部との間には、隙間が設けられていることが好ましい。
本発明に係る枠体固定構造では、溝形部材は、リップ部を室外側に有することが好ましい。
【００１４】
本発明に係る枠体固定方法は、建物躯体の開口部に枠体を固定する枠体固定方法であって、前記建物躯体の開口部の下部に、一方の辺にリップ部が設けられたリップタイプの２つ以上の溝形部材を、これら前記溝形部材の間で隙間を有するように固定する工程と、前記建物躯体の開口部の左右部及び上部に、アングル部材を固定する工程と、前記溝形部材の溝部及び前記溝形部材間の隙間にロックウール材又はグラスウール材を挿入する工程と、前記溝形部材のリップ部の上面に枠体を搭載しつつ、前記建物躯体の開口部に前記枠体を配置する工程と、前記溝形部材及び前記アングル部材の他方の辺に枠体を固定する工程と、前記枠体と前記アングル部材と前記建物躯体の開口部の側面との間の空間部にロックウール材又はグラスウール材を挿入する工程とを具備する。
【００１５】
本発明に係る枠体固定方法では、前記溝形部材のリップ部の上面に枠体を搭載しつつ、前記建物躯体の開口部に前記枠体を配置した後に、前記枠体の前記建物躯体の開口部に対する位置を測定して調整する工程を更に具備することが好ましい。
【発明の効果】
【００１６】
本発明によれば、溶接作業やモルタルの充填作業等は不要で、モルタルに匹敵する不燃材としての機能を得ることができ、更には断熱効果や防音効果等も期待でき、しかも枠体の建物躯体に対する位置調整及び固定を作業性よく行うことができる。
【図面の簡単な説明】
【００１７】
【図１】本発明の一実施形態に係る枠体固定構造を示す概略図である。
【図２】図１におけるＸ−Ｘ線断面図である。
【図３】図１及び図２に示した溝形部材の斜視図である。
【図４】図１におけるＹ−Ｙ線断面図である。
【図５】本発明の一実施形態に係る枠体固定方法を説明するための工程図である。
【発明を実施するための形態】
【００１８】
以下、図面を参照しながら本発明の実施形態を詳細に説明する。
【００１９】
図１は本発明の一実施形態に係る枠体固定構造を示す概略図、図２は図１におけるＸ−Ｘ線断面図、図３は図１及び図２に示した溝形部材の斜視図、図４は図１におけるＹ−Ｙ線断面図である。
【００２０】
図１に示すように、この実施形態に係る枠体固定構造は、ＲＣ（鉄筋コンクリート）造の建物躯体１０に形成した開口部１１に窓枠（枠体）２０を固定して成る。
【００２１】
窓枠２０は、上枠部材２１、下枠部材２２、左右一対の縦枠部材２３，２３を四周枠組みすることによって構成した矩形の枠状を成すものである。建物躯体１０の開口部１１は、窓枠２０を収容するに十分な大きさの矩形状に形成してある。この建物躯体１０の開口部１１に対して窓枠２０は、建物躯体１０の開口部１１の下部１１ａに設けられた第１の固定部材３０と、建物躯体１０の開口部１１の左右部１１ｂ，１１ｃ及び上部１１ｄに設けられた第２の固定部材４０とを備える。
【００２２】
第１の固定部材３０は、例えば３つの溝形部材３１からなり、各溝形部材３１がこれらの間で隙間３２を有し、溝形部材３１と隣接する建物躯体１０の開口部１１の左右部１１ｂ，１１ｃとの間で隙間３３を有するように配置されている。なお、溝形部材３１は、開口部１１の下部１１ａの幅に応じてその数を適宜決めればよい。
【００２３】
溝形部材３１は、図２及び図３に示すように、一方の辺３１１にリップ部３１２が設けられ、一方の辺３１１と反対側の他方の辺３１３にはリップ部がない、例えば鋼材からなるリップタイプの溝形部材である。溝形部材３１は、リップ部３１２がある一方の辺３１１が室外側、リップ部がない他方の辺３１３が室内側に配置される。
【００２４】
このリップタイプの溝形部材３１は、典型的には、溝形鋼の一方の辺を例えば半分程度折り曲げたような形状でリップ部３１２が形成され、一方の辺３１１の高さの方が他方の辺３１３の高さよりも低くなっている。そして、一方の辺３１１とリップ部３１２と他方の辺３１３とこれらの間の溝底部３１４とによって、中空の溝部３１５が形成されている。
【００２５】
また、溝形部材３１のリップ部３１２の上面３１２ａには、窓枠２０が搭載され、溝形部材３１の溝底部３１４が建物躯体１０の開口部１１の下部１１ａにコンクリート用のビス５０により固定されている。このようにコンクリート用のビス５０を用いたのは、溝形部材３１と建物躯体１０の開口部１１の下部１１ａとの間に、スペーサ（図示を省略）を出し入れ可能にして高さ調整（窓枠の傾き調整）を容易にできるようにするためである。また、溝形部材３１の他方の辺３１３が窓枠２０にビス５１により固定されている。
【００２６】
第２の固定部材４０は、図１に示したように、建物躯体１０の開口部１１の左右部１１ｂ，１１ｃ及び上部１１ｄに対してそれぞれ配置された、例えば鋼材からなるアングル部材４１を有する。なお、各アングル部材４１は、例えばそれぞれ所定の長さに分割されていているが、勿論分割されていなくても構わない。
【００２７】
アングル部材４１は、図４に示すように、一方の辺４１１が建物躯体１０の開口部１１の左右部１１ｂ，１１ｃや上部１１ｄにピン（釘）５３により固定されている。特に、ピン５３による固定をガス釘打ちによって行うことにより、作業性を向上させることができる。また、他方の辺４１２が窓枠２０の外側部２０ａにビス５１により固定されている。そして、アングル部材４１と窓枠２０と建物躯体１０の開口部１１の側面とによって、空間部４２が形成され、空間部４２の内側（室内側）は、建物躯体１０と窓枠２０との間の固定を補強するためのアングル部材４３が取り付けられている。アングル部材４３は、一方の辺４３１が建物躯体１０の開口部１１の左右部１１ｂ，１１ｃや上部１１ｄにピン５３により固定され、他方の辺４３２が窓枠２０の内側部２０ｂにビス５１により固定されている。
【００２８】
溝形部材３１の溝部３１５、溝形部材３１間の隙間３２及び溝形部材３１と隣接する建物躯体１０の開口部１１の左右部１１ｂ，１１ｃとの間の隙間３３、窓枠２０とアングル部材４１と建物躯体１０の開口部１１の側面との間の空間部４２には、ロックウール材６０が挿入されている。なお、ロックウール材６０以外にもグラスウール材を用いることができる。ロックウール材６０とグラスウール材とが混ざっていてもよい。
次に、このような構成された枠体固定構造の施工方法を図５に基づき説明する。
・工程１
【００２９】
建物躯体１０の開口部１１の下部１１ａに第１の固定部材３０である３つの溝形部材３１を、各溝形部材３１がこれらの間で隙間３２を有し、溝形部材３１と隣接する建物躯体１０の開口部１１の左右部１１ｂ，１１ｃとの間で隙間３３を有するように配置する。
【００３０】
隙間３２の長さは、例えば溝形部材３１の長さよりも長くすればよい。また、隙間３３の長さは、例えば隙間３２の長さよりも短くすればよい。隙間３２は、ロックウール材６０を挿入する作業を容易にするためにできるだけ長くした方がいいが、窓枠２０を安定して保持するためには、隙間３２，３３の長さをできるだけ短くした方がいいからである。
次に、溝形部材３１の溝底部３１４表面側よりコンクリート用のビス５０で溝形部材３１と建物躯体１０の開口部１１の下部１１ａとを固定する。
・工程２
【００３１】
建物躯体１０の開口部１１の左右部１１ｂ，１１ｃ及び上部１１ｄのそれぞれに第２の固定部材４０である各アングル部材４１を固定する。具体的には、アングル部材４１の一方の辺４１１の表面側よりピン５３でアングル部材４１と建物躯体１０の開口部１１の左右部１１ｂ，１１ｃ及び上部１１ｄとを固定する（図４参照）。
なお、工程１と工程２とは逆であってもよいし、同時に行うものであってもよい。
・工程３
【００３２】
溝形部材３１の溝部３１５、溝形部材３１間の隙間３２及び溝形部材３１と隣接する建物躯体１０の開口部１１の左右部１１ｂ，１１ｃとの間の隙間３３にロックウール材６０を挿入する。例えば、ロックウール材６０は複数に分割されており、分割されたロックウール材６０を溝形部材３１間の隙間３２に室外側から配置し、溝形部材３１の溝部３１５に押し込んで移動させ、溝形部材３１の溝部３１５及び建物躯体１０の開口部１１の左右部１１ｂ，１１ｃとの間の隙間３３にロックウール材６０を挿入し、更に溝形部材３１間の隙間３２自体にもロックウール材６０を挿入する。
なお、挿入後に隙間３２，３３のロックウール材６０を覆うようにカバー部材（図示を省略）を配置してもよい。
・工程４
室外側より溝形部材３１のリップ部３１２の上面３１２ａに窓枠２０を搭載しつつ、建物躯体１０の開口部１１に窓枠２０を設置する。
次に、窓枠２０の建物躯体１０に対する位置を例えばレーザー測定器などによって測定しながら調整する。
・工程５
【００３３】
溝形部材３１の他方の辺３１３の室内側よりビス５１で溝形部材３１の他方の辺３１３と窓枠２０とを固定する（図２参照）。同様に、溝形部材３１の一方の辺３１１の室外側よりビス５１で溝形部材３１の一方の辺３１１と窓枠２０とを固定する。
また、アングル部材４１の他方の辺４１２の室外側よりビス５１でアングル部材４１の他方の辺４１２と窓枠２０とを固定する（図４参照）。
・工程６
【００３４】
窓枠２０の端面とアングル部材４１と建物躯体１０の開口部１１の側部との間の空間部４２にロックウール材６０を挿入し、その後アングル部材４３を取り付けている（図４参照）。室内側よりコンクリート用のビス５０でアングル部材４３の一方の辺４３１と建物躯体１０の開口部１１の左右部１１ｂ，１１ｃ及び上部１１ｄとを固定し、他方の辺４３２と窓枠２０の内側部２０ｂとをビス５１で固定する。
この後、常法であるシーリング工程や化粧版取り付け工程等を経て一連の工程が終了する。
【００３５】
以上のとおり、本実施形態に係る枠体固定構造及び枠体固定方法によれば、第１の固定部材３０である各溝形部材３１には溝部３１５を設け、これらの間で隙間３２を有するように構成し、溝形部材３１の配置後に当該隙間３２を介して溝形部材３１の溝部３１５及び隙間３２自体にロックウール材６０を挿入し、また第２の固定部材４０であるアングル部材４１と窓枠２０と建物躯体１０の開口部１１の側面との間の空間部４２を有するように構成し、当該空間部４２にもロックウール材６０を挿入しているので、溶接作業やモルタルの充填作業等は不要で、モルタルに匹敵する不燃材としての機能を得ることでき、更には断熱効果や防音効果等も期待できる。
【００３６】
また、第１の固定部材３０を構成する溝形部材３１は、リップ部３１２を有し、このリップ部３１２の上面３１２ａに窓枠２０が搭載されるようになっているので、溝形部材３１自体が窓枠２０の建物躯体１０に対する位置を調整し、固定する際の位置保持用の治具となる。従って、窓枠２０の建物躯体１０に対する位置調整及び固定を作業性よく行うことができる。
【００３７】
更に、溝形部材３１と隣接する建物躯体１０の開口部１１の左右部１１ｂ，１１ｃとの間で隙間３３を有するように配置されているので、施工工程においてこの隙間３３を介して建物躯体１０の開口部１１の下部角部にまでロックウール材６０が確実に挿入されていることを確認することができる。
また、溝形部材３１がリップ部３１２を室外側に有するので、室外側から窓枠２０を設置でき、作業上好ましい。
【００３８】
なお、上述した実施の形態では、建物躯体としてＲＣ造のものを例示しているが、必ずしもＲＣ造のものに限らず、木造のもの、あるいはセメント成形版、ＡＬＣ（Ａｕｔｏｃｌａｖｅｄ  Ｌｉｇｈｔｗｅｉｇｈｔ Ａｅｒａｔｅｄ  Ｃｏｎｃｒｅｔｅ）版等、その他のものにも適用することが可能である。
また、上述した実施の形態では、溝形部材はリップ部を室外側に有するものであったが、リップ部を室内側に有するものであっても構わない。
【符号の説明】
【００３９】
１０  建物躯体
１１  開口部
２０  窓枠（枠体）
３０  第１の固定部材
３１  溝形部材
３２，３３  隙間
３１２  リップ部
３１５  溝部
４０  第２の固定部材
４１  アングル部材
４２  空間部
６０  ロックウール材
【要約】
【課題】溶接作業やモルタルの充填作業等は不要で、モルタルに匹敵する不燃材としての機能を得ることができ、しかも枠体の建物躯体に対する位置調整及び固定を作業性よく行うことができること。
【解決手段】建物躯体１０の開口部１１の下部に設けられた第１の固定部材３０は、一方の辺にリップ部３１２が設けられた複数の溝形部材３１からなり、リップ部３１２の上面に窓枠２０が搭載され、溝形部材３１の溝底部が建物躯体１０の開口部１１の下部に固定され、溝形部材３１の他方の辺が窓枠２０に固定され、これらの間で隙間３２を有するように配置されている。溝形部材３１の溝部３１５、溝形部材３１間の隙間３２及び窓枠２０とアングル部材４１と建物躯体１０の開口部１１の側面との間の空間部４２にロックウール材６０を挿入した。
【選択図】図２【図２】
0006015987.tif 000002
【図３】
0006015987.tif 000003
【図４】
0006015987.tif 000004
【図５】
0006015987.tif 000005
【図１】
0006015987.tif 000006